(57)【要約】【課題】顧客の体調に合わせたメニューを提案するメニュー提案装置を提供する。【解決手段】顧客の端末に接続され、顧客に対してメニューを提案するメニュー提案装置であって、顧客の体調に関する情報である体調情報を顧客の端末から受信する体調情報受信部と、提案可能な料理品目に関する情報を記憶するメニュー記憶部と、体調に応じた料理品目を抽出するためのルール情報を記憶するルール情報記憶部と、ルール情報記憶部に記憶されたルール情報を参照し、体調情報受信部によって受信した体調情報に応じた料理品目をメニュー記憶部から読み出して提案メニュー情報を生成し、顧客の端末に送信する提案部とを有する。【選択図】  図１
2004295205.tif 000002
【特許請求の範囲】
【請求項１】
顧客の端末に接続され、前記顧客に対してメニューを提案するメニュー提案装置であって、
前記顧客の体調に関する情報である体調情報を前記顧客の端末から受信する体調情報受信部と、
提案可能な料理品目に関する情報を記憶するメニュー記憶部と、
体調に応じた料理品目を抽出するためのルール情報を記憶するルール情報記憶部と、
前記ルール情報記憶部に記憶されたルール情報を参照し、前記体調情報受信部によって受信した体調情報に応じた料理品目を前記メニュー記憶部から読み出して提案メニュー情報を生成し、前記顧客の端末に送信する提案部と、
を有することを特徴とするメニュー提案装置。
【請求項２】
顧客の端末に接続され、前記顧客に対してメニューを提案するメニュー提案装置であって、
前記顧客の体質に関する情報である体質情報を前記顧客の端末から受信する体質情報受信部と、
提案可能な料理品目について記憶するメニュー記憶部と、
体質に応じた料理品目を抽出するためのルール情報を記憶するルール情報記憶部と、
前記ルール情報記憶部に記憶されたルール情報を参照し、前記体質情報受信部によって受信した体質情報に応じた料理品目を前記メニュー記憶部から読み出して提案メニュー情報を生成し、前記顧客の端末に送信する提案部と、
を有することを特徴とするメニュー提案装置。
【請求項３】
前記顧客の体調に関する情報である体調情報を前記顧客の端末から受信する体調情報受信部を有し、
前記ルール情報記憶部に記憶されるルール情報は、体質および体調に応じた料理品目を抽出するための情報が含まれており、
前記提案部は、前記ルール情報記憶部に記憶されたルール情報を参照し、前記体質情報受信部によって受信した体質情報と前記体調情報受信部によって受信した体調情報とに応じた料理品目を前記メニュー記憶部から読み出して提案メニュー情報を生成し、前記顧客の端末に送信することを特徴とする請求項２記載のメニュー提案装置。
【請求項４】
体質と体調のうちいずれか一方または両方に対応付けて生活習慣におけるアドバイスに関する情報を生活習慣情報として記憶する生活習慣情報記憶部を有し、
前記提案部は、前記体質情報と前記体調情報とのうちいずれか一方または両方とに応じた生活習慣情報を前記生活習慣情報記憶部から読み出して前記顧客の端末に送信することを特徴とする請求項３記載のメニュー提案装置。
【請求項５】
前記顧客から注文を受けた料理品目の履歴である注文履歴情報を記憶する注文履歴記憶部と、
前記注文履歴情報記憶部に記憶された履歴情報に基づいて、前記ルール情報記憶部に記憶されたルール情報を更新するルール情報更新部と、
を有することを特徴とする請求項２から４のうちいずれかに記載のメニュー提案装置。
【請求項６】
顧客の端末に接続され、前記顧客に対してメニューを提案するメニュー提案装置を用いたメニュー提案方法であって、
前記メニュー提案装置は、
前記顧客の体調に関する情報である体調情報を前記顧客の端末から受信し、
体調に応じた料理品目を抽出するためのルール情報を参照し、受信した体調情報に応じた料理品目を、提案可能な料理品目に関する情報を記憶するメニュー記憶部から読み出して提案メニュー情報を生成し、
前記顧客の端末に送信する
ことを特徴とするメニュー提案方法。
【請求項７】
顧客の端末に接続され、前記顧客に対してメニューを提案するメニュー提案装置におけるメニュー提案方法であって、
前記メニュー提案装置は、
前記顧客の体質に関する情報である体質情報を前記顧客の端末から受信し、
体質に応じた料理品目を抽出するためのルール情報を参照し、受信した体質情報に応じた料理品目を、提案可能な料理品目について記憶するメニュー記憶部から読み出して提案メニュー情報を生成し、
前記顧客の端末に送信する
ことを特徴とするメニュー提案方法。
【請求項８】
顧客の端末に接続され、前記顧客に対してメニューを提案するメニュー提案装置を用いたメニュー提案プログラムであって、
前記顧客の体調に関する情報である体調情報を前記顧客の端末から受信するステップと、
体調に応じた料理品目を抽出するためのルール情報を参照し、受信した体調情報に応じた料理品目を、提案可能な料理品目に関する情報を記憶するメニュー記憶部から読み出して提案メニュー情報を生成するステップと、
前記顧客の端末に送信するステップと
をコンピュータに実行させるメニュー提案プログラム。
【請求項９】
顧客の端末に接続され、前記顧客に対してメニューを提案するメニュー提案装置におけるメニュー提案プログラムであって、
前記顧客の体質に関する情報である体質情報を前記顧客の端末から受信するステップと、
体質に応じた料理品目を抽出するためのルール情報を参照し、受信した体質情報に応じた料理品目を、提案可能な料理品目について記憶するメニュー記憶部から読み出して提案メニュー情報を生成するステップと、
前記顧客の端末に送信するするステップと
をコンピュータに実行させるためのメニュー提案プログラム。
【発明の詳細な説明】
【０００１】
【発明の属する技術分野】
この発明は、顧客に対してメニューを提案するメニュー提案装置、メニュー提案方法、メニュー提案プログラムに関するものである。
【０００２】
【従来の技術】
従来から、飲食店において、顧客は、入店した後、店舗から提示されるメニューを閲覧し、そのメニューの中から希望する料理品目を選択して注文し、食事をしている。このメニューは、例えば、チェーン店における飲食店である場合、どの店舗においても同様のメニューが準備され、一定期間ごとに全ての店舗において変更されることにより、メニューに飽きがこないようにされている。このメニューの変更について、顧客からの注文履歴に基づいて、顧客属性ごとにメニューを変更して提案するシステムがある（例えば、特許文献１参照）。
【０００３】
【特許文献１】
特開２００２−２７９５２５号公報
【０００４】
【発明が解決しようとする課題】
しかしながら、上述した従来技術によれば、注文頻度が高いメニューや、その来店する顧客の嗜好に合わせたメニューが提案されるが、顧客の嗜好に合わせたメニューを提案すると、顧客にとっては、好みの食事を摂ることができるが、好きなメニューの食事ばかり取っていると、栄養が偏りがちになり、体調を維持することが困難になる場合もある。特に、近年においては、健康維持について注目されつつあり、この健康維持のための１つの方法として食生活を改善することが望まれている。
【０００５】
本発明は、このような事情に鑑みてなされたもので、その目的は、顧客の体調や体質に合わせたメニューを提案するメニュー提案装置、メニュー提案方法、メニュー提案プログラム提供することにある。
【０００６】
【課題を解決するための手段】
上記目的を達成するために、本発明は、顧客の端末に接続され、前記顧客に対してメニューを提案するメニュー提案装置であって、前記顧客の体調に関する情報である体調情報を前記顧客の端末から受信する体調情報受信部と、提案可能な料理品目に関する情報を記憶するメニュー記憶部と、体調に応じた料理品目を抽出するためのルール情報を記憶するルール情報記憶部と、前記ルール情報記憶部に記憶されたルール情報を参照し、前記体調情報受信部によって受信した体調情報に応じた料理品目を前記メニュー記憶部から読み出して提案メニュー情報を生成し、前記顧客の端末に送信する提案部と、を有することを特徴とする。
【０００７】
また、本発明は、顧客の端末に接続され、前記顧客に対してメニューを提案するメニュー提案装置であって、前記顧客の体質に関する情報である体質情報を前記顧客の端末から受信する体質情報受信部と、提案可能な料理品目について記憶するメニュー記憶部と、体質に応じた料理品目を抽出するためのルール情報を記憶するルール情報記憶部と、前記ルール情報記憶部に記憶されたルール情報を参照し、前記体質情報受信部によって受信した体質情報に応じた料理品目を前記メニュー記憶部から読み出して提案メニュー情報を生成し、前記顧客の端末に送信する提案部と、を有することを特徴とする。
【０００８】
また、本発明は、上述のメニュー提案装置において、前記顧客の体調に関する情報である体調情報を前記顧客の端末から受信する体調情報受信部を有し、前記ルール情報記憶部に記憶されるルール情報は、体質および体調に応じた料理品目を抽出するための情報が含まれており、前記提案部は、前記ルール情報記憶部に記憶されたルール情報を参照し、前記体質情報受信部によって受信した体質情報と前記体調情報受信部によって受信した体調情報とに応じた料理品目を前記メニュー記憶部から読み出して提案メニュー情報を生成し、前記顧客の端末に送信することを特徴とする。
【０００９】
また、本発明は、上述のメニュー提案装置において、体質と体調のうちいずれか一方または両方に対応付けて生活習慣におけるアドバイスに関する情報を生活習慣情報として記憶する生活習慣情報記憶部を有し、前記提案部は、前記体質情報と前記体調情報とのうちいずれか一方または両方とに応じた生活習慣情報を前記生活習慣情報記憶部から読み出して前記顧客の端末に送信することを特徴とする。
【００１０】
また、本発明は、上述のメニュー提案装置において、前記顧客から注文を受けた料理品目の履歴である注文履歴情報を記憶する注文履歴記憶部と、前記注文履歴情報記憶部に記憶された履歴情報に基づいて、前記ルール情報記憶部に記憶されたルール情報を更新するルール情報更新部と、を有することを特徴とする。
【００１１】
また、本発明は、顧客の端末に接続され、前記顧客に対してメニューを提案するメニュー提案装置を用いたメニュー提案方法であって、前記メニュー提案装置は、前記顧客の体調に関する情報である体調情報を前記顧客の端末から受信し、体調に応じた料理品目を抽出するためのルール情報を参照し、受信した体調情報に応じた料理品目を、提案可能な料理品目に関する情報を記憶するメニュー記憶部から読み出して提案メニュー情報を生成し、前記顧客の端末に送信することを特徴とする。
【００１２】
また、本発明は、顧客の端末に接続され、前記顧客に対してメニューを提案するメニュー提案装置におけるメニュー提案方法であって、前記メニュー提案装置は、前記顧客の体質に関する情報である体質情報を前記顧客の端末から受信し、体質に応じた料理品目を抽出するためのルール情報を参照し、受信した体質情報に応じた料理品目を、提案可能な料理品目について記憶するメニュー記憶部から読み出して提案メニュー情報を生成し、前記顧客の端末に送信することを特徴とする。
【００１３】
また、本発明は、顧客の端末に接続され、前記顧客に対してメニューを提案するメニュー提案装置を用いたメニュー提案プログラムであって、前記顧客の体調に関する情報である体調情報を前記顧客の端末から受信するステップと、体調に応じた料理品目を抽出するためのルール情報を参照し、受信した体調情報に応じた料理品目を、提案可能な料理品目に関する情報を記憶するメニュー記憶部から読み出して提案メニュー情報を生成するステップと、前記顧客の端末に送信するステップとをコンピュータに実行させることを特徴とする。
【００１４】
また、本発明は、顧客の端末に接続され、前記顧客に対してメニューを提案するメニュー提案装置におけるメニュー提案プログラムであって、前記顧客の体質に関する情報である体質情報を前記顧客の端末から受信するステップと、体質に応じた料理品目を抽出するためのルール情報を参照し、受信した体質情報に応じた料理品目を、提案可能な料理品目について記憶するメニュー記憶部から読み出して提案メニュー情報を生成するステップと、前記顧客の端末に送信するするステップとをコンピュータに実行させることを特徴とする。
【００１５】
【発明の実施の形態】
以下、本発明の一実施形態によるメニュー提案装置を図面を参照して説明する。ここでは、メニュー提案システムを飲食店に適用した場合について説明する。
図１は、この発明の一実施形態によるメニュー提案装置を適用したメニュー提案システムの構成を示す概略ブロック図である。
この図において、メニュー提案装置１は、飲食店内もしくは飲食店外に設けられ、端末２と店舗端末３に接続される。この図において、端末２は、店内に予め設置されており、来店した顧客によって操作される。この図１においては、端末２は１台のみ接続されているが、複数台接続されるようにしてもよい。また、メニュー提案装置１にインターネットなどのネットワークを介して接続可能に構成し、来店した顧客が持参した端末（ネットワーク接続可能な携帯電話や、ＰＤＡ（ｐｅｒｓｏｎａｌ  ｄｉｇｉｔａｌ  ａｓｓｉｓｔａｎｃｅ）、ノート型コンピュータ等）を利用するようにしてもよい。店舗端末３は、例えば、厨房内の調理者によって利用され、顧客から注文されたメニューを表示する。
【００１６】
次に、メニュー提案装置１について説明する。メニュー提案装置１において、受信部１１は、顧客の体調に関する情報である体調情報を端末２から受信する体調情報受信機能と、顧客の体質に関する情報である体質情報を端末２から受信する体質情報受信機能を有する。ここでいう体調情報とは、例えば、顧客の年齢や性別の他に、睡眠時間、勤務時間、疲労度合い、集中力の度合い（集中力があるか否か）、スポーツの後であるか否か、気分の状態（明るい気分、沈んだ気分）などの情報が含まれる。体質情報とは、外見に関する情報と、性格面に関する情報と、生理面に関する情報とが含まれる。
【００１７】
外見に関する情報には、例えば、顧客の体格（やせ型、中肉中背、がっちり型）、体力（あるほう、ふつう、ないほう）、皮膚の状態（乾燥肌、シミ・そばかすが多い、柔らかい、等、）、気温の好み（冷え性、暑がり）などが含まれる。
生理面に関する情報は、例えば、睡眠の状態（寝付きが悪い、普通に眠れる、寝つきがよい）、汗の状態（少ない、普通、多い）、食欲（旺盛、少ない）、話し方（おしゃべり好き・早口、ゆっくり話す）、動作（早いほう、安定している、遅いほう）などの情報が含まれる。
性格面に関する情報は、例えば、気が強い、やさしい、頑固、活発的、記憶力がよい、忘れっぽい、怒りっぽい、等の情報が含まれる。
【００１８】
メニュー記憶部１２は、メニュー提案装置１が適用された飲食店において提案可能な料理品目について料理品目情報として記憶する。ここでいうメニューは、料理品目が少なくとも１つ以上が含まれて表として表されたものであり、料理品目情報には、料理品目を識別するための料理品目識別情報と、料理品目の名称、価格、カロリー、栄養成分（タンパク質の量、糖質の量など）などの情報が含まれる。
ルール情報記憶部１３は、体調および体質に応じた料理品目を抽出するための情報であるルール情報を記憶する。このルール情報は、例えば、図２に示すように、体調および体質に基づいて決定される体調・体質パターンと提案する料理品目に関する情報となるメニュー候補情報とが対応付けられて記憶される。なお、この図２においては、メニュー識別情報としてメニュー名が利用されている。
生活習慣情報記憶部１４は、体質と体調の両方に対応付けて生活習慣におけるアドバイスに関する情報である生活習慣情報を記憶する。
【００１９】
提案部１５は、受信部１１によって受信した体質情報と体調情報とに応じた体調・体質パターンを割り出す割り出し処理を行い、割り出した体調・体質パターンに対応するメニュー候補情報をルール情報記憶部１３に記憶されたルール情報を参照して読み出し、読み出したメニュー候補情報に含まれたメニュー識別情報に基づいて、該当する料理品目の料理品目情報をメニュー記憶部１２から読み出して、メニュー候補情報を生成し、端末２に送信する。このメニュー候補情報には、提案する料理品目が表として表されるとともに、各料理品目の名称、価格、カロリー、栄養成分に関する情報が含まれている。
また、提案部１５は、受信部１１によって端末２から受信した体質情報と体調情報とに応じた生活習慣情報を生活習慣情報記憶部１４から読み出して端末２に送信する。
【００２０】
注文履歴記憶部１６は、受信部１１によって受信した注文情報を顧客から注文を受けたメニューの履歴である注文履歴情報として、顧客別に記憶する。また、注文履歴記憶部１６は、この注文履歴情報を顧客情報（顧客の氏名、年齢、性別、住所、連絡先など）に対応付けて記憶する。ルール情報更新部１７は、注文履歴情報記憶部１６に記憶された履歴情報に基づいて、ルール情報記憶部１３に記憶されたルール情報を更新する。例えば、ある体調・体質パターンにおいて、注文が多い料理品目については、ルール情報記憶部１３に記憶されたルール情報におけるメニュー候補情報の上位に設定し、注文が少ない料理品目については、メニュー候補情報の下位に設定する、あるいは、べつの料理品目と入れ換える処理を行う。
【００２１】
次に、上述した図１の構成におけるメニュー提案装置１の動作について図３のシーケンス図を用いて説明する。
まず、顧客は、飲食店に初めて来店した場合、端末２を利用して、氏名、年齢、性別などの顧客情報を入力して、送信指示をする。端末２は、この送信指示に基づいて、入力された顧客情報をメニュー提案装置１に送信する（ステップＳ１）。メニュー提案装置１の受信部１１は、顧客情報を受信して注文履歴記憶部１６に顧客情報として記憶させて登録を行う（ステップＳ２）。
【００２２】
顧客情報の入力が完了すると、顧客は、端末２の体調情報入力画面に表示された入力項目に従って、その日の睡眠時間や勤務時間、疲労度合いなどについて体調情報として入力し、さらに体質情報入力画面に表示された入力項目に従って、外見に関する情報、生理面に関する情報、性格に関する情報について体質情報として入力する。端末２は、顧客から入力された体調情報と体質情報とをメニュー提案装置１に送信する（ステップＳ３）。
【００２３】
メニュー提案装置１の受信部１１は、端末２から受信した体調情報と体質情報とを提案部１５に出力する。提案部１５は、体調情報と体質情報とに基づいて、体調・体質パターンを割り出して（ステップＳ４）、体調・体質パターンに対応するメニュー候補情報をルール情報記憶部１３から読み出すとともに（ステップＳ５）、体調情報と体質情報とに対応する生活習慣情報を生活習慣情報記憶部１４から読み出す（ステップＳ６）。そして、メニュー候補情報に含まれたメニュー識別情報に該当する料理品目情報についてメニュー記憶部１２から読み出し、提案メニュー情報を生成し、生活習慣情報とともに端末２に送信する（ステップＳ７）。
【００２４】
端末２は、メニュー提案装置１から提案メニュー情報と生活習慣情報とを受信して画面上に表示する（ステップＳ２）。ここでは、例えば、提案メニュー情報に基づき、「Ａ定食、Ｂ定食、Ｃ定食」の３つの料理品目が提案メニューとして表示されるとともに、生活習慣情報として、摂取を心がけるべき食品や食事を摂るタイミングや量、睡眠時間の過不足について、また普段の生活に関するアドバイス（運動不足、休憩時間の目安など）について表示される。そして、画面上に表示された生活習慣情報が閲覧され、表示された提案メニューの中から注文する料理品目が顧客によって選択されると、端末２は、選択された料理品目を注文情報としてメニュー提案装置１に送信する（ステップＳ９）。
【００２５】
メニュー提案装置１は、受信部１１によって受信した注文情報を店舗端末３に送信する（ステップＳ１１）。店舗端末３は、注文情報を画面上に表示するとともに、注文を受け付けたことをスピーカなどを利用して通知する（ステップＳ１２）。そして、この注文情報に基づいて、調理係によって調理が行われ、出来上がった料理が係員によって顧客に配膳される。
【００２６】
一方、メニュー提案装置１の受信部１１は、注文情報を注文履歴として、顧客情報に対応付けて注文履歴記憶部１６に記憶する（ステップＳ１３）。ルール情報更新部１７は、注文履歴に基づいて、ルール情報記憶部１３に記憶されたルール情報を更新する（ステップＳ１４）。
【００２７】
以上説明した実施形態によれば、顧客から入力された体調情報と体質情報とに基づいて、ルール情報を参照し、提案メニュー情報を生成して、飲食店側から、その顧客に合ったメニューを提案するようにしたので、それぞれの顧客の体調や体質に応じたメニューを作成して提示することが可能となり、これにより、偏りがちになる栄養バランスを顧客毎に改善し顧客の食生活の改善を図ることが可能であるとともに、健康維持や体調の回復を図ることが可能となる。
【００２８】
また、上述した実施形態によれば、体調情報と体質情報とに応じた生活習慣情報を端末２に送信するようにしたので、その顧客にとって気をつけるべき生活習慣について把握することができ、これにより、食生活以外の面から健康維持や管理を行うことが可能となる。
【００２９】
また、上述した実施形態によれば、顧客から注文を受けた注文履歴情報に基づいて、ルール情報を更新するようにしたので、料理品目を組み合わせが新しいメニューを作成することが可能となり、これにより、顧客に対し、違うメニューの料理品目を提示することが可能となり、顧客にとって、同じような料理品目に偏った食事を防止することができ、違う料理品目について食事を取ることが可能であり、飽きがこない食事をすることが可能である。
【００３０】
また、上述した実施形態によれば、顧客情報を収集することができるので、来店する顧客の嗜好などを分析することが可能となり、顧客収集のためのメニュー改善を行うことができる。
【００３１】
また、上述した実施形態によれば、顧客からの注文をメニュー提案装置１が受信して店舗端末３に通知するようにしたので、店舗における係員の注文業務を省くことができ、顧客からの注文を係員が間違えて受け付けてしまうことを防止することができる。
【００３２】
以上説明した実施形態においては、顧客の体調情報と体質情報とを両方が参照された提案メニュー情報を生成する場合について説明したが、体質情報と体質情報とのうちいずれか一方のみを参照し、提案メニュー情報を生成するようにしてもよい。この場合、提案部１５は、体調情報のみを参照する場合、体調情報のみから体調・体質パターンを割り出し、体質情報のみを参照する場合、体質情報のみから体調・体質パターンを割り出す。
【００３３】
なお、体質情報は、その日ごとに急激に変化するものではないので、１度登録された後は、登録された体質情報を再度利用するようにしてもよい。これにより、顧客は、体調情報のみを入力することにより、体調情報と体質情報とを両方加味された提案メニュー情報を得ることができる。
【００３４】
また、以上説明した実施形態においては、メニュー提案システムは、飲食店内に適用した場合について説明したが、適用分野は飲食店に限られるものではなく、メニュー提案装置１をインターネットなどのネットワークに接続してＷｅｂ上に公開し、端末２からＷｅｂブラウザなどを用いて、提案メニュー情報を検索可能にするようにしてもよい。これにより、顧客は、自宅においても体調や体質に応じたメニューを把握することができ、これにより、毎日の食事においても食生活の改善を図ることができ、体調を整え、体質の改善を図ることが可能になる。
【００３５】
また、ルール情報については、体調・体質パターンとメニュー候補情報とが対応付けられて記憶されている場合について説明したが、体調・体質パターンについて、さらに、年齢や性別ごとに分類してメニュー候補情報を設定するようにしてもよい。
【００３６】
また、図１における受信部１１、提案部１５、ルール情報更新部１７の機能を実現するためのプログラムをコンピュータ読み取り可能な記録媒体に記録して、この記録媒体に記録されたプログラムをコンピュータシステムに読み込ませ、実行することにより顧客に対してメニューの提案を行うようにしてもよい。なお、ここでいう「コンピュータシステム」とは、ＯＳや周辺機器等のハードウェアを含むものとする。
【００３７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３８】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【図１】この発明の一実施形態によるメニュー提案装置を適用したメニュー提案システムの構成を示す概略ブロック図である。
【図２】ルール情報記憶部１３に記憶されるルール情報の一例について説明するための図面である。
【図３】図１の構成におけるメニュー提案装置１の動作について説明するためのシーケンス図である。
【符号の説明】
１  メニュー提案装置、２  端末、３  店舗端末、１１  受信部、１２  メニュー記憶部、１３  ルール情報記憶部、１４  生活習慣情報記憶部、１５  提案部、１６  注文履歴記憶部、１７  ルール情報更新部
【図１】
2004295205.tif 000003
【図２】
2004295205.tif 000004
【図３】
2004295205.tif 000005